(57)【要約】【課題】従来のベビーカー傘支持具は傘の傾角範囲が小さくあらゆる方向からの雨脚，日差しに対応出来ず，またベビーカーへの取り付けや傘の取り付け，取り外しに時間を要し，簡便さを欠いていた。【解決手段】傘の傾斜角については傘支持棒の起点を球体構造とした。ベビーカー及び傘の取り付け，取り外しについては取り付け時のネジの締め代を僅少とする構造とした。【選択図】図１
2012166774.tif 000002
【特許請求の範囲】
【請求項１】
ベビーカーに取り付けられた固定具の側面と傘支持棒の下端に設けられた球体を包囲するネジ部を設けた包囲函の脚の側面同志を合わせ，ピン構造により連結固定するベビーカー用傘支持具。
【請求項２】
ベビーカーに取り付けられた固定具の側面とハンドルを設けた傘支持棒の下端にネジ嵌合された凸半球体を包囲する凹半球体を設けた包囲函の脚の側面同志を合わせ，ピン構造により連結固定するベビーカー用傘支持具。
【請求項３】
ベビーカーへの挿入溝を設けたリップ溝形状の断面を有する固定具のリップ部とベビーカーとの間にネジ部を設けたＨ形スペーサを配し，その上からコの字金を跨がせ，コの字金具とＨ形スペーサ間をネジで締め上げる構造の固定具を使用した請求項１，請求項２のベビーカー用傘支持具。
【請求項４】
リップ溝形状の断面形状を有し，リップ開放口とは直角方向の短辺側にネジ部を設けた傘固定具を使用した請求項１，請求項２のベビーカー用傘支持具。
【発明の詳細な説明】
【技術分野】
【０００１】  本発明はベビーカーに取り付ける雨傘及び日傘用支持具に関するものである。
【背景技術】
【０００２】  従来のベビーカー用傘支持具は伸縮パイプの両端に鰐口状の開閉構造のクリップを使用していた。また，傘の傾斜する角度は一平面内に限られていた。
【発明の開示】
【発明が解決しようとする課題】
【０００３】  従来のベビーカー用傘支持具は傘の傾斜角が一平面内に限られていたので，あらゆる方向からの雨脚，日差しに対して対応が不十分であった。また，ベビーカー及び傘の取り付け，取り外しに際し，クリップが図７に示す様に鰐口状の開閉構造となっているためベビーカーのパイプ径や傘の柄の径までクリップの口を開かないと着脱出来ないので締付ネジの締め代が大きくなり，その分時間を要し，簡便さに欠けていた。
【課題を解決するための手段】
【０００４】  傘の傾斜角対応範囲を拡大するために傘支持棒の起点を球体構造とした。
ベビーカーへの着脱を簡便にするためにベビーカー固定具２に溝１９を設け，これをベビーカー１に挿入し，締付け機能を有したＨ形スペーサ９，コの字金具１０及び締付ネジ１１をベビーカーとベビーカー固定具の隙間２２にスライド挿入する構造とした。
傘の着脱を簡便にするためにリップ溝形状の断面を有する傘固定具１３の開放口より傘の柄１２を押し込み，片側に寄せた状態で傘支持棒３の上部へ落し込む構造とした。
【発明の効果】
【０００５】  傘の傾斜角は図８に示す様に傘支持棒３が球体包囲函５の上面に開けられた穴の縁に接するまで傾き，この角度の円錐体の範囲内の所定の位置でネジ１５を締め付ける事により傘支持棒を固定する事が出来る。
ベビーカーへの着脱に於ては締付け機能を有するＨ形スペーサ９，コの字金具１０及び締付ネジ１１をベビーカー１とベビーカー固定具２との隙間２２にスライド挿入し，Ｈ形スペーサ９とコの字金具１０を締付ネジ１１で締め上げる事によりベビーカー固定具を固定する構造なので締付ネジ１１の締め代が僅少で済み，取り付け，取り外し時間が大巾に短縮出来る。
傘の着脱に於ては，取り外しの場合を図１により説明すると，まず，締付ネジ１４を若干緩め，傘固定具１３と傘の柄１２を一緒に上方向へ移動させ，傘固定具１３が傘支持棒３の上端より離れれば傘の柄１２は傘固具１３の開放口より取り出せる。取り付けの場合はこの逆の手順となる。この傘固定具１３の内のりは傘支棒３と傘の柄１２の外径に対してほとんど遊びの無い様設計出来るので締付ネジ１４の締め代は僅少で，着脱時間はほとんど要しない。また，この傘固具１３は傘の柄１２の取付位置を変える事により傘の高さ調節も出来る。
途中で傘が不要となった時は，図１により説明すると，締付ネジ８を緩めると傘支持具全体が下方向に回転出来るので，回りに邪魔にならない位置で固定出来，ベビーカーから離脱する事無く，安全に歩行出来る。
【図面の簡単な説明】
【０００６】
【図１】本発明の実施例の側面図
【図２】本発明の実施例の側面図
【図３】従来技術の側面図
【図４】図１，図２に示すＡ−Ａから見た平面図
【図５】図１，図２に示すＢ−Ｂから見た正面図
【図６】図１，図２に示すＣ−Ｃから見た平面図
【図７】従来技術のクリップ側面図
【図８】本発明の説明図
【発明を実施するための形態】
【０００７】  以下，本発明について説明する。
まず，図１に示した実施例について説明する。傘支持棒３の下端に球体４を設け，これをネジ部６を設けた包囲函５で包囲し，この包囲函の脚７をベビーカー固定具２へピン構造としてのネジ８で連結固定する。ベビーカー固定金具２は図１に示す様にリップ溝形状の断面を有しており，これに図４に示す様な溝１９を設け，ここにベビーカ１を挿入し，ベビーカー１とベビーカー固定具２の隙間２２に，締付機能を有したＨ形スペーサ９，コの字金具１０及び締付ネジ１１を横方向からスライド挿入し，Ｈ形スペーサ９とコの字金具１０を締付ネジで締め上げる事によりベビーカーへ固定するものである。傘支持棒３の起点が球体構造となっているので本発明の傘支持具は図８に示す様に傘の傾斜範囲が広く，所定の位置でネジ１４を締付ける事により傘支持棒３を固定する事が出来る。傘の支持に当ってはリップ溝形状の断面を有する傘固具１３の開放口より傘の柄１２を挿入しこれを片側に寄せた状態で傘支棒３を挿入し，所定の傘の高さでネジ１４を締付け固定する。
途中，傘が不要となった時はネジ８を緩めると，傘支持具全体がピン構造としてのネジ８を軸として回転出来るので下方向で邪魔にならない位置で固定し，ベビーカーから離脱させる事無くそのまゝ歩行出来る。
次に図２に示す実施例について説明する。本発明は締付ハンドル１６を設けた傘支持棒３の下部に凸半球１７をネジ嵌合させ，これを凹半球を設けた包囲函１８で包囲するもので，所定の傾斜角で締付ハンドル１６を締付けると傘支持棒３の下端が凹面を締め上げ傘支持棒３を固定するものである。
ここで前述の締付機能を有したＨ形スペーサ９，コの字金具１０について説明を加える。Ｈ形スペーサ９は中央部にネジを設けておりコの字金具１０の頂部にはネジ挿入孔が設けてある。図５に示す様にＨ形スペーサ９の中央部にコの字金具１０の両足を跨がせ，コの字金具１０にネジ１１を差し込みＨ形スペーサのネジ部に嵌合させネジ１１を締め上げると図１に示す様にＨ形スペーサ９はベビーカー固定具２のリップ部内側に収まっているのでコの字金具１０の両足先端がベビーカー１に対して押付力として作用するのでベビーカーに固定する事が出来る。
【符号の説明】
【０００８】  １  ベビーカー
２  ベビーカー固定具
３  傘支持棒
４  球体
５  包囲函
６  ネジ部
７  包囲函の脚
８  ネジ
９  Ｈ形スペーサ
１０  コの字金具
１１  締付ネジ
１２  傘の柄
１３  傘固定具
１４  ネジ
１５  ネジ
１６  締付ハンドル
１７  ネジ部を設けた凸半球
１８  包囲函
１９  溝
２０  ネジ
２１  従来技術のクリップ
【図１】
2012166774.tif 000003
【図２】
2012166774.tif 000004
【図３】
2012166774.tif 000005
【図４】
2012166774.tif 000006
【図５】
2012166774.tif 000007
【図６】
2012166774.tif 000008
【図７】
2012166774.tif 000009
【図８】
2012166774.tif 000010